(57)【要約】 【課題】  使い勝手の良い、半導体メモリを接続可能な電子機器を提供する。【解決手段】  電子機器は、開口部１０と、開口部１０につながる収納部１１と、を有する本体７と、開口部１０を覆うように設けられ、本体７の操作面を構成するフロントパネル１と、フロントパネル１と本体７とを接続し、フロントパネル１を開口部１０に対してスライド移動させるスライドレール８と、フロントパネル１に接続され、フロントパネル１のスライドに応じて収納部１１に出し入れ可能なスライドシャーシ５と、スライドシャーシ５に設けられた、ＵＳＢメモリ９を接続するためのＵＳＢコネクタ６であって、接続されたＵＳＢメモリ９がフロントパネル１のスライドに応じて収納部１１に収納されるＵＳＢコネクタ６と、を備える。【選択図】  図１
2008130005.tif 000002
【特許請求の範囲】
【請求項１】
開口部と、当該開口部につながる収納部と、を有する本体と、
前記開口部を覆うように設けられ、前記本体の操作面を構成するフロントパネルと、
前記フロントパネルと前記本体とを接続し、前記フロントパネルを前記開口部に対してスライド移動させるスライド機構部と、
前記フロントパネルに接続され、前記フロントパネルのスライドに応じて前記収納部に出し入れ可能なスライドシャーシと、
前記スライドシャーシに設けられた、半導体メモリを接続するためのコネクタであって、接続された半導体メモリが前記フロントパネルのスライドに応じて前記収納部に収納されるコネクタと、
を備える、ことを特徴とする電子機器。
【発明の詳細な説明】
【技術分野】
【０００１】
本発明は、半導体メモリを接続可能な電子機器に関する。
【背景技術】
【０００２】
業務用、例えば放送用の編集機器として、複数種の記録媒体に記録された音声データや映像データを編集するものがある（例えば、非特許文献１参照）。このような編集機器は、ＭＯ（Magneto-Optical disc）等のリムーバブル記録媒体に記録されたデータを用いた種々の編集作業を可能とする。編集機器は、例えば、他の編集機器と共に、ラック等に固定されて使用される。
【０００３】
また近年、技術の進歩及び価格の低廉化から、記録媒体として半導体メモリ（フラッシュメモリ）が主流となり始めている。従来のディスク状記録媒体と比べ、機構部（ドライブ）が不要なこと、応答速度が速いこと等がその利点である。このため、ポータブル記録媒体として、従来のＦＤ（Floppy Disc）、ＭＯ、小型ＨＤ（Hard Disc）等に代わって、半導体メモリとＵＳＢ（Universal Serial Bus）コネクタを合わせたＵＳＢメモリが広く用いられるようになっている。
【０００４】
【非特許文献１】製品情報DN-H5600N、［online］、［２００６年１１月２２日検索］、インターネット（URL：http://www.dm-pro.jp/products/broadcast/dn_h5600n.html）
【発明の開示】
【発明が解決しようとする課題】
【０００５】
コンテンツを作成する編集者等も、同様に、これまでＭＯ等で行ってきた編集用データの持ち運びをＵＳＢメモリで行い始めている。このため、ＵＳＢメモリに対応可能な編集機器が求められている。
【０００６】
通常、ＵＳＢメモリは、機器のＵＳＢコネクタに差し込んで用いられる。しかし、編集機器は、編集室等で他の機器と並べて設置され、ＵＳＢコネクタに接続されたＵＳＢメモリが操作の邪魔になり、ぶつかった場合にはＵＳＢコネクタ等が破損しかねない。
【０００７】
また、このような編集機器には薄型であることが求められる一方、フロントパネル上ですべての操作及び接続が行えるようにする必要がある。ここで、編集者にとっては、複数のＵＳＢメモリを接続可能である方が便利であるが、フロントパネル上に複数のＵＳＢコネクタを設けることはデザイン的な制約がある。また、狭いフロントパネル内に操作スイッチやノブ等と併設した場合には、ＵＳＢメモリによって操作しづらくなる。
また、同様の問題は、編集装置に限らず、フロントパネル上での操作を必要とする電子機器一般にも発生しうる。本発明は、従来技術におけるこれらの問題を解決することを目的とする。
【課題を解決するための手段】
【０００８】
上記目的を達成するため、本発明にかかる電子機器は、
開口部と、当該開口部につながる収納部と、を有する本体と、
前記開口部を覆うように設けられ、前記本体の操作面を構成するフロントパネルと、
前記フロントパネルと前記本体とを接続し、前記フロントパネルを前記開口部に対してスライド移動させるスライド機構部と、
前記フロントパネルに接続され、前記フロントパネルのスライドに応じて前記収納部に出し入れ可能なスライドシャーシと、
前記スライドシャーシに設けられた、半導体メモリを接続するためのコネクタであって、接続された半導体メモリが前記フロントパネルのスライドに応じて前記収納部に収納されるコネクタと、
を備える、ことを特徴とする。
【発明の効果】
【０００９】
本発明によれば、使い勝手の良い、半導体メモリを接続状態で収納可能な電子機器が提供される。
【発明を実施するための最良の形態】
【００１０】
本発明に係る実施の形態について、以下、図面を参照して詳細に説明する。なお、以下に示す実施の形態は一例であり、これに限定されない。以下に示す実施の形態では、放送用等の業務用編集機器を例として説明する。
【００１１】
図１に、本発明の実施の形態に係る編集機器の斜視図を示す。図１に示す編集機器は、本体７と、フロントパネル１と、スライドシャーシ５と、を備える。
【００１２】
本体７は、直方体状の外観形状を有し、その内部に収納部１１を有する。収納部１１は、本体７の一側面において収納部１１につながる開口部１０を有する。
【００１３】
フロントパネル１は、厚みを有する板状部材から構成され、本体７の開口部１０を有する側面を少なくとも覆う程度の大きさを有する。フロントパネル１は、その一面に複数のスイッチ２と、表示部３と、回転ノブ４と、を有し、操作面を構成する。フロントパネル１には他の操作部を設けてもよく、ＩＣ（Integrated Circuit）カードのコネクタ等が設けられていても良い。
【００１４】
スライドシャーシ５は、本体７の収納部１１に収容可能な直方体状の部材から構成される。スライドシャーシ５の内部には、制御チップ等の編集機器の動作に必要な要素が格納されている。
【００１５】
スライドシャーシ５は、収納部１１の内部の両側を延びる２本のスライドレール８によって挟まれ、本体７の収納部１１と外部との間をスライド移動可能に構成されている。スライドシャーシ５の一端には、フロントパネル１が取り付けられており、フロントパネル１と本体７とを接続する。スライドシャーシ５が本体７の収納部１１に収納された状態でフロントパネル１は本体７の側面（操作者に対して前面）を構成する。スライドシャーシ５は、本体７の図示しないリアコネクタとケーブル１２によって連結されている。
【００１６】
スライドシャーシ５は、一本のスライドレール８に沿った側に、フロントパネル１とスライドシャーシ５とスライドレール８との間に略直方形の空間が存在するように形成されている。スライドレール８から離間したスライドシャーシ５の一側面、すなわち図１においてスライドレール８に略平行な面には、ＵＳＢコネクタ６が設けられている。図１中、ＵＳＢコネクタ６は３個設けられているが、ＵＳＢコネクタ６の数はこれに限定されず任意である。ＵＳＢコネクタ６には半導体メモリであるＵＳＢメモリ９が差し込まれ、接続される。ＵＳＢコネクタ６の間の距離も任意に定めることが可能である。
【００１７】
スライドシャーシ５のＵＳＢコネクタ６が設けられた側面と、スライドレール８との間には、少なくともＵＳＢコネクタ６にＵＳＢメモリ９を差し込むために必要な程度の距離が設けられている。この距離は、一般的なＵＳＢメモリ９のサイズに応じて設定することができる。
【００１８】
スライドシャーシ５は、ＵＳＢコネクタ６にＵＳＢメモリ９が接続された状態で本体７の収納部１１に収容可能である。すなわち、図２に示すようにＵＳＢコネクタ６にＵＳＢメモリ９が差し込まれた状態から、スライドシャーシ５はスライドレール８に沿ってスライドし、図３に示すように、本体７の収納部１１に収納される。
【００１９】
操作者は、この状態で、ＵＳＢメモリ９に格納されたデータについて、編集機器を用いて処理をすることができる。ＵＳＢメモリ９を取り出す場合には、スライドシャーシ５を引き出せばよい。
【００２０】
以上説明したように、本実施の形態では、フロントパネル１及びスライドシャーシ５を本体７から引き出し可能とし、スライドシャーシ５の側面にＵＳＢコネクタ６を設ける構成とした。これにより、ＵＳＢコネクタ６に接続されたＵＳＢメモリ９は、スライドシャーシ５とともに本体７の収納部１１に収納される。
【００２１】
このため、取り付けられたＵＳＢメモリ９がフロントパネル１や本体７から突出するということはないため、操作の邪魔をすることなく、ぶつかることによってＵＳＢコネクタ６等が破損するということは確実に回避される。また、ＵＳＢコネクタ６をフロントパネル１に設けないため、操作スイッチやノブ等の他の要素についてのデザイン的な制約は低減される。このことは、薄型であること、フロントパネル１で全ての操作・接続を行うことが求められる業務用の据え置き型編集装置において特に有効である。
【００２２】
本発明は、上記実施の形態に限定されず、種々の変更、修正等が可能である。
【００２３】
例えば、上記実施の形態では、スライドシャーシ５のスライド機構としてスライドレール８を用いたが、ローラ等の他のスライド機構を用いても良い。
【００２４】
また、上記実施の形態では、ＵＳＢコネクタ６をスライドシャーシ５のスライドレール８と離間してこれと略平行な面に設けるものとしたが、図４に示すように、ＵＳＢコネクタ６をスライドシャーシ５と略垂直な面に設けてもよい。
【００２５】
また、上記実施の形態において、ＵＳＢコネクタ６とＵＳＢメモリ９を直接接続する場合について説明したが、形状が合わない場合には両者の間に専用のコネクタを設けるようにしてもよい。
【００２６】
また、上記実施の形態では、半導体メモリとのインタフェースとしてＵＳＢを用いるものとしたが、これに限らず、他の一般的なインタフェースを用いても良い。
【００２７】
さらに、上記実施の形態において、スライド可能なフロントパネル１を本体７に係止する構造、例えば爪等を設けても良い。これにより、フロントパネル１が意図せずにスライドすることは回避される。
【００２８】
上記実施の形態では、例えば業務用の編集機器を例として説明したが、これに限らず、本発明は、フロントパネル上で操作を必要とする一般的な電子機器（コンシューマ向け音響映像機器等）にも当然に適用することができる。
【図面の簡単な説明】
【００２９】
【図１】本発明の実施の形態にかかる編集機器の斜視図である。
【図２】本発明の実施の形態にかかる編集機器のＵＳＢメモリが差し込まれた状態の斜視図である。
【図３】本発明の実施の形態にかかる編集機器のスライドシャーシが収納された状態の斜視図である。
【図４】本発明の他の実施の形態にかかる編集機器の斜視図である。
【符号の説明】
【００３０】
１：フロントパネル、５：スライドシャーシ、６：ＵＳＢコネクタ、７：本体、８：スライドレール、９：ＵＳＢメモリ、１０：開口部、１１：収納部
【図１】
2008130005.tif 000003
【図２】
2008130005.tif 000004
【図３】
2008130005.tif 000005
【図４】
2008130005.tif 000006